(57)【要約】【課題】梁型枠の底部に当接して支持する型枠支持部が外側に向かってズレ難く、横端太材に掛止する掛止部が回転し難く、重量も軽量化でき取付作業性を向上させる。【解決手段】背板部１１ａと掛止部１１ｂ１をそれぞれ有する一対の側板部１１ｂ，１１ｂとを有する受具本体１１と、受具本体１１の背板部１１ａ側に設けられ、上板部１２ａと下板部１２ｃの同軸上にはそれぞれパイプ体挿通孔１２ａ１と雄ネジ体挿通孔１２ｃ１が形成されたガイド体１２ｃと、ガイド体１２ｃの上板部１２ａのパイプ体挿通孔１２ａ１に上下動可能に挿嵌され、雌ネジ部１３ｂ１が形成されたパイプ体１３と、パイプ体１３の上端に設けられた型枠支持部１４と、ガイド体１２ｃの下板部１２ｃの雄ネジ体挿通孔１２ｃ１に回転可能かつ脱落しないように支持され、パイプ体１３の雌ネジ部１３ｂ１に螺合してパイプ体１３を上下動させる雄ネジ体１５とを備える。【選択図】図５
2020076251.tif 000002
【特許請求の範囲】
【請求項１】
壁型枠から張り出される梁型枠の底部を支持する梁型枠底部受具であって、
背板部と背板部の左右両側それぞれから背板部に対し垂直方向に延出する側板部とを有し、左右両側の側板部における背板部側と反対側にはそれぞれ壁型枠を固定する横端太材に掛止される掛止部が設けられた受具本体と、
前記受具本体の背板部側に設けられ、上板部と下板部とを有しており、その上板部と下板部の同軸上にはそれぞれパイプ体挿通孔と雄ネジ体挿通孔とが形成されたガイド体と、
前記ガイド体の上板部のパイプ体挿通孔に上下動可能に挿嵌され、その内部には雌ネジ部が形成されたパイプ体と、
前記パイプ体の上端に設けられ梁型枠の底部を支持する型枠支持部と、
前記ガイド体の下板部の雄ネジ体挿通孔に回転可能かつ脱落しないように支持され、雄ネジ部が前記パイプ体の雌ネジ部に螺合し、回転することによって前記ガイド体の上板部のパイプ体挿通孔に挿嵌されている前記パイプ体を上下動させる雄ネジ体と、
を備えたことを特徴とする梁型枠底部受具。
【請求項２】
請求項１記載の梁型枠底部受具において、
前記受具本体の背板部には、前記掛止部の高さであって前記ガイド体および雄ネジ体よりも下方の位置に、壁型枠に前記横端太材等を緊結する型枠緊結金具の少なくともネジ部を挿通させて当該受具本体を前記横端太材に固定可能な受具本体固定孔が形成されていることを特徴とする梁型枠底部受具。
【請求項３】
請求項１または請求項２に記載の梁型枠底部受具において、
前記型枠支持部は、当該型枠支持部の中心から偏心した位置に前記パイプ体上端が接合されていることを特徴とする梁型枠底部受具。
【発明の詳細な説明】
【技術分野】
【０００１】
本発明は、コンクリート構造物を建造する際に使用する壁用型枠の上部から水平に突出する梁型枠の底部を支持する梁型枠底部受具に関する。
【背景技術】
【０００２】
コンクリート工事において、壁等の上部に梁などが張り出す場合、それら梁型枠等の底部を支えるために型枠支保工が用いられる。一般的な型枠支保工は、張出しが少ない際に、壁型枠の外端太（バタ）材と干渉して鉛直に設置するのが難しい場合がある。このようなパイプサポートの問題を解決するべく、一端側を壁型枠等の２本の横端太材に掛止させて梁型枠等の底部を支える型枠支保工として型枠底部受具が提案されている（例えば、特許文献１参照。）。
【０００３】
この特許文献１に記載された型枠底部受具は、側面型枠に設けられる横桟に引掛ける掛止部（特許文献１では係止部）を有する本体と、本体にねじ結合して上下動し、本体より上方に梁型枠を支える型枠支持部（特許文献１では支持板）と、本体よりも下方の下端に、回転操作のためのレンチが係合する係合部を有するねじ桿とにより構成している。
【先行技術文献】
【特許文献】
【０００４】
【特許文献１】実用新案登録第３１２０１０７号公報
【発明の概要】
【発明が解決しようとする課題】
【０００５】
しかしながら、上述の特許文献１に記載の梁型枠底部受具では、ねじ桿を回転させることによってネジ結合（螺合）している本体に対しそのねじ桿が昇降し、ねじ桿上部の型枠支持部によって梁型枠を支える構造であるため、ねじ桿上部の型枠支持部が梁型枠の底部に当接した状態でねじ桿を締付けると、ねじ桿が本体の雌ねじとネジ結合（螺合）されているだけであるため、がたつき易くなり、ねじ桿上部の型枠支持部が外側にずれ易い。したがって、梁型枠の底部に対して型枠支持部が確実に当接した状態で締め付けることが困難である、という問題があった。
【０００６】
また、横桟（横端太材（横桟））に掛止している掛止部がプレート状に構成されているため、ねじ桿を締め付けていくと、掛止部が回転し易かったり、ねじ桿が長尺であるため重量が重くなり横桟等への取付け作業性が悪い、という問題もある。
【０００７】
そこで、本発明はこのような問題点に鑑みなされたもので、梁型枠の底部に当接して支持する型枠支持部が外側に向かってズレ難く、横端太材（横桟）に掛止している掛止部が回転し難く、重量も軽量化でき、取付け作業性を向上させることができる梁型枠底部受具を提供することを目的とする。
【課題を解決するための手段】
【０００８】
上記問題点を解決するため、本発明に係る梁型枠底部受具は、壁型枠から張り出される梁型枠の底部を支持する梁型枠底部受具であって、背板部と背板部の左右両側それぞれから背板部に対し垂直方向に延出する側板部とを有し、左右両側の側板部における背板部側と反対側にはそれぞれ壁型枠を固定する横端太材（横桟）に掛止される掛止部が設けられた受具本体と、前記受具本体の背板部側に設けられ、上板部と下板部とを有しており、その上板部と下板部の同軸上にはそれぞれパイプ体挿通孔と雄ネジ体挿通孔とが形成されたガイド体と、前記ガイド体の上板部のパイプ体挿通孔に上下動可能に挿嵌され、その内部には雌ネジ部が形成されたパイプ体と、前記パイプ体の上端に設けられ梁型枠の底部を支持する型枠支持部と、前記ガイド体の下板部の雄ネジ体挿通孔に回転可能かつ脱落しないように支持され、雄ネジ部が前記パイプ体の雌ネジ部に螺合し、回転することによって前記ガイド体の上板部のパイプ体挿通孔に挿嵌されている前記パイプ体を上下動させる雄ネジ体と、を備えたことを特徴とする。
また、本発明に係る梁型枠底部受具では、前記受具本体の背板部には、前記掛止部の高さであって前記ガイド体および雄ネジ体よりも下方の位置に、壁型枠に前記横端太材等を緊結する型枠緊結金具の少なくともネジ部を挿通させて当該受具本体を前記横端太材に固定可能な受具本体固定孔が形成されていることも特徴とする。
また、本発明に係る梁型枠底部受具では、前記型枠支持部は、当該型枠支持部の中心から偏心した位置に前記パイプ体上端が接合されていることも特徴とする。
【発明の効果】
【０００９】
本発明に係る梁型枠底部受具は、梁型枠の底部を支持する型枠支持部の高さ調整機構をパイプ体と雄ネジ体で構成し、型枠支持部が上端に設けられたパイプ体は、受具本体に設けたガイド体の上板部に形成されたパイプ体挿通孔に挿嵌されてガイドされた状態で、パイプ体の雌ネジ部に螺合する雄ネジ体の回転によって上下動（昇降）する。
そのため、雄ネジ体を挿通したパイプ体がガイド体の上板部に形成したパイプ体挿通孔にガイドされた状態で上下動するので、雄ネジ体のがたつきを抑え、パイプ体上部の型枠支持部が外側にずれることを抑制して梁型枠の底部を確実に支持することができると共に、中空のパイプ体を昇降させているので重量も軽量化でき、取付け作業性を向上させることができる。
また、受具本体の左右両側の側板部における背板部側と反対側にはそれぞれ壁型枠を固定する２本の横端太材（横桟）に掛止される掛止部を設けているため、雄ネジ体を締め付ける際に受具本体が回転することを防止でき、この点でも取付け作業性を向上させることができる。
【図面の簡単な説明】
【００１０】
【図１】本発明に係る実施形態の梁型枠底部受具の最大伸縮時の正面図である。
【図２】本発明に係る実施形態の梁型枠底部受具の最大伸縮時の右側面図である。
【図３】（ａ），（ｂ）それぞれ本発明に係る実施形態の梁型枠底部受具の平面図、底面図である。
【図４】図２におけるＡ−Ａ線断面図である。
【図５】横端材から梁型枠の底部までの間隔が小さい場合に本発明に係る実施形態の梁型枠底部受具によって梁型枠の底部している状態を示す正面図である。
【図６】横端材から梁型枠の底部までの間隔が大きい場合に本発明に係る実施形態の梁型枠底部受具によって梁型枠の底部している状態を示す正面図である。
【図７】壁型枠に対する梁型枠の突出量が大きい場合における本発明に係る実施形態の梁型枠底部受具において型枠支持部を回転させて梁型枠の底部している状態を示す正面図である。
【図８】断面が正方形である横端太材（横桟）の本発明に係る実施形態の梁型枠底部受具の形状を示す正面図である。
【発明を実施するための形態】
【００１１】
以下、本発明に係る梁型枠底部受具の実施形態について説明する。尚、下記に説明する実施形態は、あくまで本発明の一例であり、本発明は下記の実施形態に限定されるものではなく、本発明の技術思想の範囲内で適宜変更可能である。
【００１２】
まずは、本発明に係る実施形態の梁型枠底部受具１について説明する。
＜実施形態の梁型枠底部受具１の構成＞
実施形態の梁型枠底部受具１は、例えば、図１に示すように、壁型枠２１や梁型枠２２ａ〜２２ｃ等の型枠によってコンクリート建造物を建造する際、壁型枠２１から張り出される縦梁型２２ｂ，２２ｃの底部を支持する受具であって、受具本体１１と、ガイド体１２と、パイプ体１３と、型枠支持部１４と、雄ネジ体１５とを備えて構成される。
【００１３】
尚、図１において、符号の２３は水平梁型枠２２ａに対し縦梁型２２ｂ，２２ｃを垂直に設けるための補助材、２４は縦桟、２５は断面が円形である単管等の横端太材（横桟）、２６はセパレータ、２７は型枠支承具、２８はネジ部２８ａに螺合する固定用ナット２８ｂの回転によって横端太押付け座金２８ｃで２本の横端太材２５，２５を縦桟２４や壁型枠２１に緊結する型枠緊結金具である。
【００１４】
（受具本体１１）
受具本体１１は、図２〜図５に示すように、背板部１１ａと、背板部１１ａの左右両側それぞれから背板部１１ａに対し垂直方向に折り曲げられて延出する側板部１１ｂ，１１ｂとを備えて平面視コ字形状に形成されている。
【００１５】
そして、側板部１１ｂ，１１ｂにおける背板部１１ａ側と反対側には、図２等に示すように、それぞれ、壁型枠２１を固定する縦方向（鉛直方向）に並んだ２本の横端太材２５，２５に掛止するため横端太材２５の外形に応じて上部をほぼ半円形に切り欠いた掛止部１１ｂ１，１１ｂ１を設けている。
【００１６】
掛止部１１ｂ１，１１ｂ１は、それぞれ、縦方向（鉛直方向）に並んだ２本の横端太材２５，２５の外周面に点で当接する直線部１１ｂ１１と、上側の横端太材２５のほぼ上半分の外周面に曲線で当接する湾曲部１１ｂ１２とを有する。
【００１７】
また、背板部１１ａにおける掛止部１１ｂ１の直線部１１ｂ１１のほぼ中間の高さには、図３に示すように、大径孔部１１ａ１および小径孔部１１ａ２が上下方向に連結した受具本体固定孔１１ａ３が形成されている。
【００１８】
この受具本体固定孔１１ａ３は、２本の横端太材２５，２５に受具本体１１を型枠緊結金具２８によっても固定できるようにしており、さらに、大径孔部１１ａ１の内径Ｒ１は、型枠緊結金具２８のネジ部２８ａに螺合する固定用ナット２８ｂの外径よりも大きくして、固定用ナット２８ｂを取り外さずに大径孔部１１ａ１を通るように構成する一方、小径孔部１１ａ２の内径Ｒ２は、その固定用ナット２８ｂの外径よりも小さく、かつ、ネジ部２８ａの外径よりも大きくしてネジ部２８ａを通すことによって固定用ナット２８ｂで受具本体１１を固定できるように構成している。
【００１９】
そのため、梁型枠底部受具１の受具本体１１は、横端太材２５を縦桟２４や壁型枠２１に緊結している型枠緊結金具２８の固定用ナット２８ｂを取り外さずに緩めるだけで、図１に示すように２本の横端太材２５，２５に固定することができる。
【００２０】
（ガイド体１２）
ガイド体１２は、図１や図２に示すように、受具本体１１の背板部１１ａ側に、側板部１１ｂ，１１ｂに設けた掛止部１１ｂ１，１１ｂ１よりも高い位置に溶接等によって接合して設けられるもので、上板部１２ａ、縦板部１２ｂおよび下板部１２ｃを有する正面視コ字状に形成されている。尚、本実施形態では、下板部１２ｃよりも上板部１２ａを長くして、下板部１２ｃ先端は背板部１１ａ外側面に溶接等によって接合する一方、上板部１２ａは先端下面を背板部１１ａ上端面に溶接等によって接合している。
【００２１】
上板部１２ａと下板部１２ｃとには、それぞれ、図５に示すように、同軸上にパイプ体挿通孔１２ａ１と、パイプ体挿通孔１２ａ１よりも径が小さい雄ネジ体挿通孔１２ｃ１を形成している。
【００２２】
上板部１２ａに形成されるパイプ体挿通孔１２ａ１は、パイプ体１３の上下動である昇降をガイドするものであるため、その内径がパイプ体１３の外径と同じか僅かに大きく形成されている。
【００２３】
これに対し、下板部１２ｃに形成される雄ネジ体挿通孔１２ｃ１の内径は、雄ネジ体１５を回転可能に挿通していれば十分であるため、雄ネジ体１５の雄ネジ部１５ａ１の外径より僅かに大きく形成している。
【００２４】
（パイプ体１３）
パイプ体１３は、上部に型枠支持部１４が溶接等によって接合して設けられ、ガイド体１２の上板部１２ａのパイプ体挿通孔１２ａ１に上下動可能に挿嵌される筒状のもので、図５に示すように円筒状の大径筒部１３ａと、大径筒部１３ａの下方に設けられた小径筒部１３ｂとから構成されており、小径筒部１３ｂの内周面には雄ネジ体１５の雄ネジ部１５ａ１に螺合する雌ネジ部１３ｂ１が形成されている。
【００２５】
（型枠支持部１４）
型枠支持部１４は、図２や図４等に示すようにパイプ体１３の大径筒部１３ａ上部に偏心して設けられ、縦梁型２２ｂ，２２ｃや補助材２３等に当接して水平梁型枠２２ａの底部を支持するもので、平板状の支持板部１４ａと、支持板部１４ａ裏側とパイプ体１３の大径筒部１３ａ外周面とに接合されパイプ体１３と型枠支持部１４との接合を補強する大小三角形状のリブ１４ｂ，１４ｃとから構成されている。
【００２６】
支持板部１４ａには、図４（ａ），（ｂ）に示すように支持板部１４ａが当接する縦梁型２２ｂ，２２ｃや補助材２３等に釘やビス等で固定するため、複数のビス孔１４ａ１が設けられている。
【００２７】
（雄ネジ体１５）
雄ネジ体１５は、図５に示すようにパイプ体１３の小径筒部１３ｂの雌ネジ部１３ｂ１に螺合する雄ネジ部１５ａ１および頭部１５ａ２とを有するボルト体１５ａと、ガイド体１２の内側で雄ネジ部１５ａ１に溶接や図示しないネジ等によって固定され、ガイド体１２の外側に位置するボルト体１５ａの頭部１５ａ２との間でガイド体１２の下板部１２ｃとを挟むナット体１５ｂとから構成され、ガイド体１２の下板部１２ｃの雄ネジ体挿通孔１２ｃ１に回転可能かつ脱落しないように支持されており、回転させることによってパイプ体１３および型枠支持部１４を上下動（昇降）させるように構成されている。
【００２８】
そのため、図示はしないが、ボルト体１５ａの頭部１５ａ２には、インパクトドライバー（図示せず。）の回転軸先端が嵌合可能な嵌合部が形成されている。また、ボルト体１５ａの頭部１５ａ２とガイド体１２の下板部１２ｃとの間、およびナット体１５ｂとガイド体１２の下板部１２ｃとの間には、それぞれ、ワッシャ１５ｃが設けられている。
【００２９】
＜実施形態の梁型枠底部受具１の使用方法＞
次に、以上のように構成された実施形態の梁型枠底部受具１の使用方法について説明する。尚、梁型枠底部受具１を使用する前に、予め雄ネジ体１５のボルト体１５ａを逆回転させ、雄ネジ部１５ａ１に螺合しているパイプ体１３を下降させておくと良い。またパイプ体１３と型枠支持部１４とは接合されているため、雄ネジ体１５のボルト体１５ａを逆回転させるのではなく、型枠支持部１４を手で回転させることによってパイプ体１３を逆回転させ、パイプ体１３を下降させておいても良い。
【００３０】
（２本の横端太材２５，２５から壁型枠２１までの間隔が大きく、かつ、壁型枠２１からの突出量（張出量）が中程度の梁型枠２２ｂ等の底部を支持する場合）
【００３１】
この場合、まず作業者は、受具本体１１の側板部１１ｂ，１１ｂの掛止部１１ｂ１，１１ｂ１を縦方向に並んだ２本の横端太材２５，２５に掛止した後、背板部１１ａの受具本体固定孔１１ａ３に固定ボルトを通し、ナットによって２本の横端太材２５，２５に固定しても良いが、ここでは、図１に示すように固定ボルトおよびナットの代わりに既に２本の横端太材２５，２５を縦桟２４や壁型枠２１に緊結している型枠緊結金具２８を利用する。
【００３２】
つまり、受具本体１１の背板部１１ａの受具本体固定孔１１ａ３に形成された大径孔部１１ａ１の内径Ｒ１は、型枠緊結金具２８のネジ部２８ａに螺合している固定用ナット２８ｂの外径よりも大きいため、固定用ナット２８ｂを取り外さずに大径孔部１１ａ１を通した後、受具本体１１を押し下げて背板部１１ａの小径孔部１１ａ２に型枠緊結金具２８のネジ部２８ａを移動させた後に固定用ナット２８ｂを締め付ける。
【００３３】
これにより、型枠緊結金具２８を利用しつつも固定用ナット２８ｂを取り外さずに２本の横端太材２５，２５に梁型枠底部受具１の受具本体１１を固定することができる。
【００３４】
次に作業者は、雄ネジ体１５の頭部１５ａ２の嵌合部にインパクトドライバー（図示せず。）の回転軸部を挿入して雄ネジ部１５ａ１を回転させ、パイプ体１３の大径筒部１３ａ上部に設けた型枠支持部１４が梁型枠の底部を構成する梁型枠用縦合板２２ｂ，２２ｃおよび補助材２３下面に当接し、その後、強固に支持できるまでパイプ体１３を上昇させる。
【００３５】
雄ネジ体１５が挿通されているパイプ体１３は、上昇する際、図５等に示すようにガイド体１２の上板部１２ａに形成されたパイプ体挿通孔１２ａ１にガイドされた状態で上昇するため、型枠支持部１４が梁型枠の底部を構成する梁型枠用縦合板２２ｂ，２２ｃおよび補助材２３下面に当接しさらに締付けた場合でも、雄ネジ体１５とナット体１５ｂとの間で生じるがたつきを抑えて、パイプ体１３が外側に曲がることがなくなり、型枠支持部１４が梁型枠の底部を確実に支持することができる。
【００３６】
また、背面部１１ａの受具本体固定孔１１ａ３を形成していない場合（図２）の梁型枠底部受具であれば、横端太材に掛止部を掛止するだけで受具本体をボルトやネジ等で固定せず梁型枠の底部を支持するため、壁型枠に対する受具本体の固定箇所から梁型枠の底部を支持するパイプ体１３までの偏心距離は、掛止部の中心である横端太材の断面中心からパイプ体１３断面中心までの距離となる。
【００３７】
これに対し、実施形態の梁型枠底部受具１では、背板部１１ａに受具本体固定孔１１ａを形成して、型枠緊結金具２８によって型枠に固定できるようにしている。つまり、受具本体１１の背板部１１ａを型枠緊結金具２８のネジ部２８ａに螺合している固定用ナット２８ｂによって２本の横端太材２５，２５に対し固定するため、壁型枠２１に対する受具本体１１の固定箇所から梁型枠の底部を支持するパイプ体１３までの偏心距離は、背板部１１ａ外側面からパイプ体１３断面中心までの距離となり、背面部１１ａに受具本体固定孔１１ａを形成しない梁型枠底部受具１と比べても偏心距離が小さくなるので、よりパイプ体１３が外側に曲がることがなくなり、型枠支持部１４が梁型枠の底部を確実に支持することができる。
【００３８】
（２本の横端太材２５，２５から壁型枠２１までの間隔が小さく、かつ、壁型枠２１からの突出量（張出量）も小さい梁型枠２２ｂ等の底部を支持する場合）
【００３９】
この場合も、まず作業者は、図１に示す場合と同様に、受具本体１１の側板部１１ｂ，１１ｂの掛止部１１ｂ１，１１ｂ１を２本の横端太材２５，２５に掛止した後、背板部１１ａの受具本体固定孔１１ａ３に形成された大径孔部１１ａ１に型枠緊結金具２８の固定用ナット２８ｂを取り外さずに通した後、受具本体１１を押し下げて背板部１１ａの小径孔部１１ａ２に型枠緊結金具２８のネジ部２８ａを移動させた後に固定用ナット２８ｂを締め付け、型枠緊結金具２８を利用しつつも固定用ナット２８ｂを取り外さずに２本の横端太材２５，２５に梁型枠底部受具１の受具本体１１を固定する。
【００４０】
次に作業者は、雄ネジ体１５の頭部１５ａ２の嵌合部にインパクトドライバー（図示せず。）の回転軸部を挿入して雄ネジ体１５を回転させ、パイプ体１３の大径筒部１３ａ上部に設けられた型枠支持部１４が梁型枠の底部を構成する梁型枠用縦合板２２ｂおよび補助材２３下面に当接して強固に下方から支持できるまで雄ネジ体１５の雄ネジ部１５ａ１に螺合しているパイプ体１３を上昇させる。
【００４１】
パイプ体１３が上昇すると、図６に示すようにパイプ体１３上端の型枠支持部１４が梁型枠の底部を構成する梁型枠用縦合板２２ｂおよび補助材２３下面に当接し、さらに雄ネジ体１５を締め付けると型枠支持部１４により梁型枠の底部を構成する梁型枠用縦合板２２ｂおよび補助材２３下面を確実に支持することができる。
【００４２】
尚、図１や図６に示す場合とは異なり、壁型枠２１からの突出量（張出量）が大きい縦梁型２２ｂ，２２ｃ等の底部を支持する場合は、図７に示すように型枠支持部１４を図１や図６に示す場合に対し１８０度回転させた状態で雄ネジ体１５を回転してパイプ体１３を上昇させ、縦梁型２２ｂ，２２ｃや補助材２３，２３の底部を支持させれば良い。
【００４３】
＜実施形態の梁型枠底部受具１の主な効果＞
従って、実施形態の梁型枠底部受具１では、梁型枠の底部を支持する型枠支持部１４の高さ調整機構をパイプ体１３と雄ネジ体１５で構成し、型枠支持部１４が上部に設けられたパイプ体１３は、パイプ体１３の雌ネジ部１３ｂ１に螺合する雄ネジ体１５の回転により、受具本体１１に設けたコ字状のガイド体１２の上板部１２ａに形成したパイプ体挿通孔１２ａ１に挿嵌された状態で上下動する。
【００４４】
そのため、雄ネジ体１５が挿通されているパイプ体１３がガイド体１２の上板部１２ａに形成したパイプ体挿通孔１２ａ１にガイドされた状態で上下動することになるので、雄ネジ体１５とナット体１５ｂとで生じるがたつきを抑えて、パイプ体１３上部の型枠支持部１４が外側にずれることを抑制して梁型枠の底部を確実に支持することができると共に、中空のパイプ体１３を昇降させているので重量も軽量化でき、取付け作業性を向上させることができる。
【００４５】
また、受具本体１１の左右両側の側板部１１ｂ，１１ｂには、それぞれ壁型枠２１を固定する２本の横端太材２５，２５に掛止される掛止部１１ｂ１を形成しているため、雄ネジ体１５を締め付ける際に受具本体１１が回転することを防止でき、この点でも取付け作業性を向上させることができる。
【００４６】
特に、実施形態の梁型枠底部受具１では、受具本体１１の背板部１１ａには、掛止部１１ｂ１，１１ｂ１の高さであって、壁型枠２１を緊結する型枠緊結金具２８のネジ部２８ａおよびナット体２８ｂが挿通される受具本体固定孔１１ａ３を設けたため、型枠緊結金具２８のネジ部２８ａおよび固定ナット２８ｂを利用して受具本体１１を２本の横端太材２５，２５等により安定的に固定できる。
【００４７】
さらに、型枠に対する受具本体１１の固定箇所から梁型枠の底部を支持するパイプ体１３までの偏心距離は、型枠緊結金具２８のネジ部２８ａが通り固定ナット２８ｂで締結される背板部１１ａ外側面からパイプ体１３断面中心までの距離となり、背面部１１ａに受具本体固定孔１１ａを形成しない梁型枠底部受具１（図２）の場合と比べても偏心距離である２本の横端太材２５，２５の断面中心からパイプ体１３断面中心までの距離がより短くなる。
【００４８】
その結果、作用するモーメントが小さくなり、梁型枠底部受具１全体が回転し難くなる共に、パイプ体１３が外側に曲がったり傾斜し難くなるので、この点でも型枠支持部１４で梁型枠の底部を確実に支持することができる。
【００４９】
また、受具本体固定孔１１ａ３は、図３（ｂ）に示すように型枠緊結金具２８の固定ナット２８ｂが通る内径Ｒ１を有する大径孔部１１ａ１と、その固定用ナット２８ｂの外径よりも小さく、かつ、ネジ部２８ａの外径よりも大きい内径Ｒ２を有する小径孔部１１ａ２とを有するため、横端太材２５を縦桟２４や壁型枠２１に緊結している型枠緊結金具２８の固定用ナット２８ｂを取り外さずに緩めるだけで、梁型枠底部受具１の受具本体１１を２本の横端太材２５，２５に固定することが可能となる。
【００５０】
そのため、２本の横端太材２５，２５への受具本体１１の固定作業を簡略化することができるので、この点でも取付け作業性を向上させることができる。
【００５１】
また、実施形態の梁型枠底部受具１では、型枠支持部１４は型枠支持部１４の中心から偏心した位置にパイプ体１３上端が接合されている。
【００５２】
そのため、図１や図６等に示すように壁型枠２１からの突出量（張出量）が小〜中の梁型枠２２ｂ等の底部を支持する場合は、型枠支持部１４の突出量が大きい側を壁型枠２１に向けて梁型枠２２ｂ等の底部を支持する一方、図７に示すように壁型枠２１からの突出量（張出量）が大きい梁型枠２２ｂ等の底部を支持する場合は、型枠支持部１４の突出量が小さい側を壁型枠２１に向けて梁型枠２２ｂ等の底部を支持することにより対応することができるので、複数の梁幅に対応することができると共に、複数の梁幅に対応しても梁型枠２２ｂ等の底部を確実に支持することができ、この点でも取付け作業性を向上させることができる。
【００５３】
尚、上記実施形態の説明では、横端太材２５は断面が円形の単管等で構成して説明したが、断面が正方形の角管や角材等の横端太材を使用している場合は、図８に示すように、側板部１１ｂ’，１１ｂ’に設ける掛止部１１ｂ１’，１１ｂ１’は、横端太材２５’の正方形の断面形状に応じて切り欠いた受具本体１１’を有する梁型枠底部受具１’を構成すれば良い。
【００５４】
また、上記実施形態の説明では、雄ネジ体１５をボルト体１５ａとナット体１５ｂとで構成して説明したが、本発明ではこれに限らず、ガイド体１２の下板部１２ｃの雄ネジ体挿通孔１２ｃ１に回転可能かつ脱落しないように支持され、回転させることによってパイプ体１３および型枠支持部１４を上下動（昇降）させることができれば十分であるので、例えば、全ネジと２個のナット体で構成する等しても勿論良い。
【００５５】
また、上記実施形態の説明では、梁型枠底部受具１を型枠緊結金具２８のネジ部２８ａおよび固定用ナット２８ｂを利用して横端太材２５，２５に固定して説明したが、本発明では、これに限らず、型枠緊結金具２８を使用せずに受具本体固定孔１１ａ３に挿通可能な通常のボルトまたはネジおよび固定用ナットを使用して横端太材２５，２５に固定するようにしても勿論良い。
【００５６】
また、上記実施形態の説明では、背板部１１ａには大径孔部１１ａ１および小径孔部１１ａ２からなる受具本体固定孔１１ａ３を設けて説明したが、本発明では、受具本体固定孔１１ａ３を省略しても良いし、さらには小径孔部１１ａ２のみの受具本体固定孔１１ａ３を設けても勿論良い。
【００５７】
また、上記実施形態の説明では、型枠支持部１４はパイプ体１３上端に対し偏心して設けるように説明したが、本発明ではこれに限らず、型枠支持部１４の中心にパイプ体１３上端を接合して設けるようにしても勿論良い。
【００５８】
また、上記実施形態の説明では、パイプ体１３は、大径筒部１３ａと雌ネジ部１３ｂ１が形成された小径筒部１３ｂとから構成して説明したが、本発明ではこれに限らず、大径筒部１３ａの下端部に雄ネジ体１５の雄ネジ部１５ａ１に螺合するナット体等を溶接等によって設けた構成でも勿論良い。
【符号の説明】
【００５９】
１，１’…梁型枠底部受具、１１，１１’…受具本体、１１ａ…背板部、１１ａ１…大径孔部、１１ａ２…小径孔部、１１ａ３…受具本体固定孔、１１ｂ，１１ｂ’…側板部、１１ｂ１，１１ｂ１’…掛止部、１１ｂ１１…直線部、１１ｂ１２…湾曲部、１２…ガイド体、１２ａ…上板部、１２ａ１…パイプ体挿通孔、１２ｂ…縦板部、１２ｃ…下板部、１２ｃ１…雄ネジ体挿通孔、１３…パイプ体、１３ａ…大径筒部、１３ｂ…小径筒部、１３ｂ１…雌ネジ部、１４…型枠支持部、１４ａ…支持板部、１４ａ１…ビス孔、１４ｂ，１４ｃ…リブ、１５…雄ネジ体、１５ａ…ボルト体、１５ａ１…雄ネジ部、１５ａ２…頭部、１５ｂ…ナット体、１５ｃ…ワッシャ、２１…壁型枠、２２ａ…水平梁型枠、２２ｂ，２２ｃ…縦梁型枠、２３…補助材、２４…縦桟、２５，２５’…横端太材（横桟）、２６…セパレータ、２７…型枠支承具、２８…型枠緊結金具、２８ａ…ネジ部、２８ｂ…固定用ナット、２８ｃ…横端太押付け座金。
【図１】
2020076251.tif 000003
【図２】
2020076251.tif 000004
【図３】
2020076251.tif 000005
【図４】
2020076251.tif 000006
【図５】
2020076251.tif 000007
【図６】
2020076251.tif 000008
【図７】
2020076251.tif 000009
【図８】
2020076251.tif 000010